(57)【要約】【課題】  ベッド本体の移動経路を一義的にして移動操作や位置決め操作を容易にするとともに、アンカボルト等で固定する煩雑な工事を特に行わなくても容易に設置可能にした。【解決手段】  一端部３２でスタンド２０を支承しかつ他端部３３側がベッド本体１０と平行かつベッド本体１０の略他端１２位置まで延び床下空間３を出入り可能なベース３０と、ベース３０の一端部３２側の裏面であってベース３０の回転軸を中心とする一つの円周上に設けられる第一ローラ４０と、ベース３０の他端部３３側の裏面であってベース３０の回転軸を中心とする他の円周上に設けられる第二ローラ５０とを備えて構成した。【選択図】  図１
2005073840.tif 000002
【特許請求の範囲】
【請求項１】
内部にシャワーノズルが設けられるとともに、中央に側方から前端部に亘って開口する入浴者の出入口を備え、下側に側方から前端部に亘って開放する床下空間を形成してなるシャワー式入浴装置に用いられるシャワー式入浴装置用ベッドにおいて、
入浴者を横臥した状態で支承し上記出入口を出入り可能なベッド本体と、該ベッド本体の一端を支持するスタンドと、一端部で上記スタンドを支承しかつ他端部側が上記ベッド本体と平行かつ該ベッド本体の略他端位置まで延び上記床下空間を出入り可能なベースと、該ベースの一端部を回転軸を中心として回転可能に支持し上記シャワー式入浴装置の前端部側の設置面に設置される支持板と、上記ベースの一端部側裏面であって上記ベースの回転軸を中心とする一つの円周上に設けられ上記支持板を転動する第一ローラと、上記ベースの他端部側の裏面であって上記ベースの回転軸を中心とする他の円周上に設けられ設置面を転動する第二ローラとを備えて構成したことを特徴とするシャワー式入浴装置用ベッド。
【請求項２】
上記ベッド本体を、人が横臥可能な大きさのネットと、該ネットの周囲を支持する枠体とを備えて構成したことを特徴とする請求項１記載のシャワー式入浴装置用ベッド。
【請求項３】
上記ベースを、上記ネットを通って落下する雫を受ける盆状に形成したことを特徴とする請求項２記載のシャワー式入浴装置用ベッド。
【請求項４】
上記回転軸を上記ベース及び上記支持板のいずれか一方に立設し、いずれか他方に軸受けを設けたことを特徴とする請求項１，２または３記載のシャワー式入浴装置用ベッド。
【発明の詳細な説明】
【技術分野】
【０００１】
本発明は、主に介護が必要な老人や病人等の入浴者を横臥させた状態でシャワーを浴びせて入浴させるシャワー式入浴装置に用いられるシャワー式入浴装置用ベッドに関する。
【背景技術】
【０００２】
従来、入浴者を横臥させた状態で上下からシャワーを浴びせて入浴させるシャワー式入浴装置に用いられるシャワー式入浴装置用ベッドにおいては、例えば、特許文献１（特開２０００−１６７０１３号公報）に掲載されたタイプのものが知られている。
【０００３】
図６に示すように、このタイプのシャワー式入浴装置用ベッドＢａが用いられるシャワー式入浴装置Ｓａは、内部にシャワーノズル（図示せず）が設けられるとともに、中央の前端部２に開口する入浴者の出入口１を備え、下側の前端部２が開放される床下空間３を形成している。
シャワー式入浴装置用ベッドＢａは、入浴者が横臥するベッド本体５と、ローラ６によって床上を自在に移動可能な台車７と、この台車７に立設されベッド本体５の長手方向の一端を片持ち支持する支持体８とを備えている。
【０００４】
シャワー式入浴装置Ｓａを用いて入浴させるには、まず、ベッド本体５に入浴者を横臥させる。それから、シャワー式入浴装置Ｓａとシャワー式入浴装置用ベッドＢａの長手方向を合わせ、ベッド本体５の他端からベッド本体５を出入口１に差し入れる。この際、台車７はシャワー式入浴装置Ｓａの床下空間３に進入される。この状態で、シャワーノズル（図示せず）を開にして入浴をさせる。
【０００５】
また、従来においては、例えば、特許文献２（実開平５−８４３３１号公報）に掲載された別のタイプのシャワー式入浴装置用ベッドも知られている。
図７に示すように、このタイプのものは、特許文献１のものと異なり、シャワー式入浴装置Ｓは、内部にシャワーノズル（図示せず）が設けられるとともに、中央に側方４から前端部２に亘って開口する入浴者の出入口１を備え、下側に側方４から前端部２に亘って開放する床下空間３を形成してなる。
シャワー式入浴装置用ベッドＢｂは、上記と同様に、入浴者が横臥するベッド本体５とローラ６によって床上を自在に移動可能な台車７と、この台車７に立設されベッド本体５のいずれか一方を片持ち支持する支持体８とを備えている。
【０００６】
このシャワー式入浴装置Ｓを用いて入浴させるには、特許文献１のものと同様にして、ベッド本体５に入浴者を横臥させる。それから、シャワー式入浴装置用ベッドＢｂをシャワー式入浴装置Ｓの側方からその出入口に差し入れる。この際、台車７はシャワー式入浴装置Ｓの床下空間３に進入される。この状態で、シャワーノズル（図示せず）を開にして入浴をさせる。
【０００７】
【特許文献１】特開２０００−１６７０１３号公報
【特許文献２】実開平５−８４３３１号公報
【発明の開示】
【発明が解決しようとする課題】
【０００８】
ところで、このような従来のシャワー式入浴装置用ベッドＢａ，Ｂｂにあっては、前者及び後者のいずれのタイプにおいても、ベッド本体５が床上を自在に移動可能な台車に設けられる支持体８に支持されているので、ベッド本体５の移動経路が一義的ではなく、このシャワー式入浴装置用ベッドＢａ，Ｂｂに横臥する入浴者がシャワー式入浴装置Ｓａ，Ｓに入れられる際、この入浴者の予期しない方向に動く等して、入浴者の不安感が煽られてしまう実情があった。
そのため、ベッドＢａ，Ｂｂの移動の仕方に気を使わなければならないので、移動操作が煩雑になってしまうとともに、シャワー式入浴装置Ｓａ，Ｓに対するベッドＢａ，Ｂｂの位置決めも容易でないという問題があった。
【０００９】
これを解決するために、支持体を床に固定し、ベッド本体を支持体に対して回転可能にして、このベッド本体の回転操作によりシャワー式入浴装置の出入口に対してベッド本体を出入りさせるようにすることも考えられるが、入浴者が横臥してもシャワー式入浴装置用ベッドが倒れないよう支持体を強く床に固定する必要があるため、アンカボルト等により支持体を固定する工事が必要になり、シャワー式入浴装置用ベッドの設置を難しくしてしまう問題が新たに生じてしまう。
【００１０】
本発明は上記の問題点に鑑みて為されたもので、ベッド本体の移動経路を一義的にして移動操作や位置決め操作を容易にするとともに、アンカボルト等で固定する煩雑な工事を特に行わなくても容易に設置可能にしたシャワー式入浴装置用ベッドを提供することを目的とする。
【課題を解決するための手段】
【００１１】
このような目的を達成するための本発明のシャワー式入浴装置用ベッドは、内部にシャワーノズルが設けられるとともに、中央に側方から前端部に亘って開口する入浴者の出入口を備え、下側に側方から前端部に亘って開放する床下空間を形成してなるシャワー式入浴装置に用いられるシャワー式入浴装置用ベッドにおいて、
入浴者を横臥した状態で支承し上記出入口を出入り可能なベッド本体と、該ベッド本体の一端を支持するスタンドと、一端部で上記スタンドを支承しかつ他端部側が上記ベッド本体と平行かつ該ベッド本体の略他端位置まで延び上記床下空間を出入り可能なベースと、該ベースの一端部を回転軸を中心として回転可能に支持し上記シャワー式入浴装置の前端部側の設置面に設置される支持板と、上記ベースの一端部側裏面であって上記ベースの回転軸を中心とする一つの円周上に設けられ上記支持板を転動する第一ローラと、上記ベースの他端部側の裏面であって上記ベースの回転軸を中心とする他の円周上に設けられ設置面を転動する第二ローラとを備えて構成している。
【００１２】
このシャワー式入浴装置用ベッドを設置する場合は、このベッドを設置面に載置するだけでよく、設置を容易に行なうことができる。また、この場合、ベッド本体とベースが平行で一体なので、ベッド本体自身の重さやこのベッド本体に横臥した入浴者の体重等によりベッド本体に生じるモーメント荷重をベースで受けることができ、スタンドをアンカボルト等で固定することが不要になり設置を容易に行なうことができる。
そして、シャワー式入浴装置用ベッドを用いる場合は、予め、この入浴装置からこのベッドを出しておく。そして、入浴者を入浴装置の前端部から頭が露出する位置に横臥させる。それから、ハンドルを把持してベッドを回転させて、このベッドを入浴者とともに出入口から入浴装置内に入れていく。
【００１３】
シャワー式入浴装置用ベッドを回転させる際、ベースは回転軸により回転可能に支持されていることから、第一ローラは回転軸を中心とする円周上を、第二ローラは回転軸を中心とする別の円周上を夫々移動する。この場合、ベッド本体とベースとが平行で一体なので、平行状態を保持して互いに同動する。そのため、ベッド本体やベッド本体に横臥した入浴者の体重等のベッド本体に作用するモーメント荷重をベースが受けながら回動でき、そのため、ベッド本体がぐらつくことがなく、支持を確実にして回転できる。そのため、入浴者の不安感が煽られることがなく、快適に入浴させることができる。
更に、シャワー式入浴装置用ベッドは回転軸を中心とする円周を常に移動するので、移動経路が一義的になり、前後左右の移動のズレが生じなくなる。このため、前後左右の移動のズレによって煽られる入浴者の不安感が生じないので、より入浴者を快適に入浴させることができる。
【００１４】
それから、シャワー式入浴装置のスイッチを入れてシャワーノズルから、温水を噴出させて入浴者に入浴させる。次に所定時間の入浴を終えると、介助者がベッド本体のハンドルを把持してシャワー式入浴装置用ベッドを回転させ、出入口から入浴装置の外にシャワー式入浴装置用ベッドを出す。それから、入浴者をベッド本体から起こす。
この際にも、ベッドを入浴装置に入れる際と同様に、ベッドの移動経路が一義的なので、前後左右の移動のズレによって煽られる入浴者の不安感が生じないので、入浴者は入浴後も快適に過ごすことができる。
また、この際、ベッドに第一ローラ及び第二ローラを備えていることから、ベッドを回転させるには、ベッド本体のハンドルを把持して水平方向に力を加えればよく、容易にベッドを回転させることができる。
【００１５】
また、必要に応じ、上記ベッド本体を、人が横臥可能な大きさのネットと、該ネットの周囲を支持する枠体とを備えて構成している。
入浴者はネットに横臥することから、ネットの下方から入浴者に向けてシャワーノズルからの温水を放射することができ、入浴者へのマッサージ効果が向上させられる。
【００１６】
更に、必要に応じ、上記ベースを、上記ネットを通って落下する雫を受ける盆状に形成している。入浴者が入浴した後においては、シャワーノズルから噴出された液体が入浴者やベッド本体に付着する。この液体が流れ落ちて雫となっても、ベースがこの雫を受けることができ、ベッド本体がシャワー式入浴装置の外に出されてもこのシャワー式入浴装置の周囲を濡らさないようにすることができる。
【００１７】
更にまた、上記回転軸を上記ベース及び上記支持板のいずれか一方に立設し、いずれか他方に軸受けを設けている。回転軸を受ける軸受けにより、回転を円滑に行なうことができシャワー式入浴装置用ベッドの回転を円滑に行なうことができる。
【発明の効果】
【００１８】
以上説明したように、本発明のシャワー式入浴装置用ベッドによれば、ベッド本体とベースとを平行にし、ベースの回転軸を中心として第一ローラ及び第二ローラを転動させて、ベース本体を出入口から出入りさせるようにしたので、ベッド本体に生じるモーメント荷重を、ベースで受けることができ、アンカボルトが不要になり設置を容易に行なうことができる。また、ベッドは回転軸を中心とする円周を常に移動するので、移動経路が一義的になり、前後左右の移動のズレが生じなくなり、前後左右の移動のズレによって煽られる入浴者の不安感が生じなくなり、より入浴者を快適に入浴させることができる。また、入浴後にベッドを入浴装置から出す際においても、入浴者の不安感を煽らなくすることができ、入浴後も入浴者を快適にさせることができる。また、本発明のシャワー式入浴装置用ベッドでは、設置型になるので省スペース化が図られる。
【００１９】
また、ベッド本体を、人が横臥可能な大きさのネットと、ネットの周囲を支持する枠体とを備えて構成した場合には、ネットの下方からも温水を放射することができ、よりシャワー式入浴装置のマッサージ効果を向上させることができる。
更に、ベースを、ネットを通って落下する雫を受ける盆状に形成した場合には、入浴後にベッドを入浴装置の外に出しても周囲を濡らさないようにすることができる。
更にまた、回転軸をベース及び支持板のいずれか一方に立設し、いずれか他方に軸受けを設けた場合には、ベッドの回転を円滑にできる。
【発明を実施するための最良の形態】
【００２０】
以下、添付図面に基づいて、本発明の実施の形態に係るシャワー式入浴装置用ベッドについて詳細に説明する。尚、上記と同様のものには同一の符号を付して説明する。
【００２１】
図１乃至図５には、本発明の実施の形態に係るシャワー式入浴装置用ベッドを示している。
このシャワー式入浴装置用ベッドＢが用いられるシャワー式入浴装置Ｓは、上記従来の後者のタイプ（図７）と同様のものであり、図１に示すように、内部にシャワーノズル（図示せず）が設けられるとともに、中央に側方から前端部２に亘って開口する入浴者の出入口１を備え、下側に側方から前端部２に亘って開放する床下空間３が形成されている。
【００２２】
本発明の実施の形態に係るシャワー式入浴装置用ベッドＢは、基本的に、入浴者を横臥した状態で支承し出入口１を出入り可能なベッド本体１０と、ベッド本体１０の一端１１を支持するスタンド２０と、一端部３２でスタンド２０を支承しかつ他端部３３側がベッド本体１０と平行かつベッド本体１０の略他端１２位置まで延び床下空間３を出入り可能なベース３０と、このベース３０の一端部３２を回転軸３４を中心として回転可能に支持しシャワー式入浴装置Ｓの前端部２側の平坦な設置面に設置される支持板３１と、ベース３０の一端部３２側の裏面であってベース３０の回転軸３４を中心とする一つの円周上に設けられ支持板３１を転動する第一ローラ４０と、ベース３０の他端部３３側の裏面であってベース３０の回転軸３４を中心とする他の円周上に設けられ設置面を転動する第二ローラ５０とを備えて構成されている。
【００２３】
詳しくは、ベッド本体１０は、人が横臥可能な大きさのネット１３と、ネット１３の周囲を支持する枠体１４とを備えて構成されている。枠体１４の一端には枠体１４を支持するとともに回転操作のためのハンドル１６を有した操作部１５が設けられている。
枠体１４は、断面円形状の棒体を略Ｕ字状に折り曲げて形成され、操作部１５に接続されている。枠体１４の操作部１５側の側縁間には、入浴者の頭部が載せられる保持体１７が架け渡されている。ネット１３は、透水可能なメッシュ状に形成されている。
入浴者はネット１３に横臥することから、ネット１３の下方から入浴者に向けてシャワーノズルからの温水を放射することができ、入浴者へのマッサージ効果が向上させられる。
【００２４】
スタンド２０は、六角柱状に形成されベース３０の上面から立設されるとともに、その上端は、ベッド本体１０の一端に設けられた操作部１５に接合されている。
【００２５】
ベース３０は、ネット１３を通って落下する雫を受ける盆状に形成されている。支持板３１は、例えば、金属で形成され、表面は平坦に形成されている。また、支持板３１のシャワー式入浴装置Ｓの前後方向の前方の左右及び後方の左右の４カ所には、支持板３１の水平位置を調整するアジャストボルト３５が備えられている。支持板３１は、設置面に載置されているだけなので、容易に取り付けを行なうことができる。
回転軸３４は、支持板３１に立設されている。また、ベース３０の裏面には、この回転軸３４を受ける軸受け３６が設けられている。回転軸３４に対する軸受け３６を備えたので、ベッドＢの回転を円滑に行なうことができる。
【００２６】
第一ローラ４０は、回転軸３４を中心に、ベース３０の一端部３２側の裏面に対称に一対設けられている。この一対の第一ローラ４０は、夫々、回転軸３４を中心とする円周Ｃ１上を転動するように設けられている。
第二ローラ５０は、ベース３０の他端部３３側の裏面に一対設けられている。この一対の第二ローラ５０は、夫々、回転軸３４を中心とする円周Ｃ２上を転動するキャスタで構成されている。
【００２７】
従って、このシャワー式入浴装置用ベッドＢを設置する場合は、ベッドＢを設置面に載置するだけでよく、設置を容易に行なうことができる。また、この場合、ベッド本体１０とベース３０が平行で一体なので、ベッド本体１０に生じるモーメント荷重をベース３０で受けることができ、アンカボルトが不要になり設置を容易に行なうことができる。
【００２８】
次に、このシャワー式入浴装置用ベッドＢを用いる場合は、例えば、シャワー式入浴装置Ｓを操作して入浴者を入浴させる介助者（図示せず）が、予め、この入浴装置ＳからこのベッドＢを出しておく。そして、入浴者が入浴装置Ｓの前端部２から頭が外に露出する位置に自力であるいは介助されてベッド本体１０に横臥する。それから、介助者（図示せず）がハンドル１６を把持してベッドＢを回転させて、このベッドＢを入浴者とともに出入口１から入浴装置Ｓ内に入れていく。
【００２９】
このベッドＢを回転させる際、図１及び図５に示すように、ベース３０は回転軸３４により回転可能に支持されていることから、第一ローラ４０は回転軸３４を中心とする円周Ｃ１上を、第二ローラ５０は回転軸３４を中心とする円周Ｃ２上を夫々移動する。この場合、ベッド本体１０とベース３０とが平行で一体なので、平行状態を保持して互いに同動する。このため、ベッド本体１０に作用するモーメント荷重をベース３０が受けながら回動でき、支持を確実にして回転でき、ベッド本体１０をぐらつかなくすることができる。そのため、入浴者の不安感が煽られることがなくなり、入浴者を快適に入浴させることができる。
【００３０】
また、ベッドＢは回転軸３４を中心とする円周を常に移動するので、移動経路が一義的になり、前後左右の移動のズレが生じなくなる。このため、前後左右の移動のズレによって煽られる入浴者の不安感が生じないので、より入浴者を快適に入浴させることができる。
【００３１】
また、この際、ベッドＢに第一ローラ４０及び第二ローラ５０を備えていることから、ベッドＢを回転させるには、ベッド本体１０のハンドル１６を把持して水平方向に力を加えればよく、容易にベッドＢを回転させることができる。
【００３２】
それから、入浴装置Ｓのスイッチを入れてシャワーノズルから、温水を噴出させて入浴者に入浴させる。次に所定時間の入浴を終えると、介助者がベッド本体１０のハンドル１６を把持してベッドＢを回転させ、出入口から入浴装置Ｓの外にベッドＢを出す。それから、入浴者をベッドＢから起こす。
この際にも、ベッドＢを入浴装置Ｓに入れる際と同様に、ベッドＢの移動経路が一義的なので、前後左右の移動のズレによって煽られる入浴者の不安感が生じないので、入浴者は入浴後も快適に過ごすことができる。
また、入浴後に入浴者やベッド本体１０に付着した液体が流れ落ちて雫となっても、ベース３０がこの雫を受ける盆状に形成されているので、ベッド本体１０が入浴装置Ｓの外に出されても周囲を濡らさないようにすることができる。
【００３３】
尚、本発明の実施の形態に係るシャワー式入浴装置用ベッドＢにあっては、回転軸３４を支持板３１に立設し、軸受け３６をベース３０に設けて構成したが、これに限定されるものでなく、支持板３１に軸受け３６を設けベース３０から回転軸３４を立設してもよく、適宜設計を変更しても差し支えない。
【図面の簡単な説明】
【００３４】
【図１】本発明の実施の形態に係るシャワー式入浴装置用ベッドであって、（ａ）シャワー式入浴装置用ベッドがシャワー式入浴装置に入れられた状態，（ｂ）シャワー式入浴装置用ベッドがシャワー式入浴装置から出された状態を示す斜視図である。
【図２】本発明の実施の形態に係るシャワー式入浴装置用ベッドの一方の側面を示す正面図である。
【図３】本発明の実施の形態に係るシャワー式入浴装置用ベッドの他方の側面を示す正面図である。
【図４】本発明の実施の形態に係るシャワー式入浴装置用ベッドの上面を示す正面図である。
【図５】本発明の実施の形態に係るシャワー式入浴装置用ベッドのベースの移動経路を、第一ローラの移動経路及び第２ローラの移動経路を示す平面図である。
【図６】従来のシャワー式入浴装置用ベッドの一例を示す斜視図である。
【図７】従来のシャワー式入浴装置用ベッドの別の一例を示す斜視図である。
【符号の説明】
【００３５】
Ｂ  シャワー式入浴装置用ベッド
Ｓ  シャワー式入浴装置
１  出入口
２  前端部
３  床下空間
１０  ベッド本体
１１  一端
１２  他端
１３  ネット
１４  枠体
２０  スタンド
３０  ベース
３１  支持板
３２  一端部
３３  他端部
３４  回転軸
３６  軸受け
４０  第一ローラ
５０  第二ローラ
【図１】
2005073840.tif 000003
【図２】
2005073840.tif 000004
【図３】
2005073840.tif 000005
【図４】
2005073840.tif 000006
【図５】
2005073840.tif 000007
【図６】
2005073840.tif 000008
【図７】
2005073840.tif 000009